(57)【要約】【課題】この発明は、流路の断面積を大きく確保できるとともに、スパウトのレイアウトの自由度が向上する給水バルブを提供することを目的とする。【解決手段】スパウト４基端外周面に凹凸部４３ｂを設けるとともに、スパウト４と連結され、スパウト４と一体的に回動する中空パイプ状のバルブケースガイド３２、駆動ケース３３を備え、バルブケースガイド３２の、凹凸部４３ｂと対向する部位に、凹凸部４３ｂと嵌合して流路を形成する被嵌合凹溝３２ｂを設けた。さらに、スパウト４と上記バルブケースガイド３２とを、スパウト４基端の外側で連結する取付けネジ５が設けられている。【選択図】図２
2007162284.tif 000002
【特許請求の範囲】
【請求項１】
流路を有するバルブ本体と、
上記バルブ本体の流路上部に設けられ、吐水量を制御する吐水弁装置と、
バルブ本体に対して相対的に回動可能に設けられ、上記吐水弁装置を操作するスパウトとにより構成される給水バルブであって、
上記スパウト基端外周に嵌合部を設けるとともに、
上記吐水弁装置は、上記スパウトと連結され、該スパウトと一体的に回動する中空パイプ状の回動部材を備え、
該回動部材の、上記嵌合部と対向する部位に、上記嵌合部と嵌合して流路を形成する被嵌合部を設けて、上記スパウトの回動力を回動部材に伝達可能とし、
上記スパウトと上記回動部材とを、スパウト基端の外側で連結する取付部材が設けられ、
上記吐水弁装置は、上記回動部材の回動により吐水量の制御を行う
給水バルブ。
【請求項２】
前記嵌合部は、前記スパウトの流路の中心から離間し、上記スパウトの基端面に形成された凹凸部からなる
請求項１記載の給水バルブ。
【請求項３】
前記取付部材は、その内周面にネジ孔が形成され、且つ前記スパウトおよび前記回動部材と同軸の環状体により構成され、上記スパウト外周面に沿ってスライド可能に設けられるとともに、
上記スパウトの両端には、上記取付部材の位置を規制するストッパ部材が設けられ、
上記回動部材の外周面には、上記ネジ孔と螺合するネジ部が形成され、
上記スパウトは、ネジ孔とネジ部の螺合により回動部材に対して連結される
請求項１または２記載の給水バルブ。
【請求項４】
前記吐水弁装置は、
前記回動部材と、
前記バルブ本体内に収納された回転不可の固定弁ディスクと、
前記バルブ本体内に収納され、該回動部材と一体的に回動可能な可動弁ディスクとからなり、
上記回動部材の、上記可動弁ディスクと対向する側に第２嵌合部を設けるとともに、上記可動弁ディスクに上記第２嵌合部と嵌合可能な第２被嵌合部を形成して一体的に回動するように構成し、
上記バルブ本体の流路上部側先端には、上記第２嵌合部と当接可能とされ、上記第２嵌合部の回動角度を規制する回動角度規制部を形成した
請求項１乃至３のうちいずれか一項記載の給水バルブ。
【請求項５】
前記バルブ本体と前記固定弁ディスクとの間、および前記可動弁ディスクと前記回動部材との間をそれぞれシールする第１のシール部材、第２のシール部材を設けた
請求項４記載の給水バルブ。
【発明の詳細な説明】
【技術分野】
【０００１】
この発明は、流路を有するバルブ本体と、上記バルブ本体の流路上部に設けられ、吐水量を制御する吐水弁装置と、バルブ本体に対して相対的に回動可能に設けられ、上記吐水弁装置を操作するスパウトとにより構成される給水バルブに関する。
【背景技術】
【０００２】
従来より、図７に示すように、流路１２１を有するバルブ本体１０２に対して水平方向に回動自在に設けられたスパウト（弁キャップ）１０４と、バルブ本体１０２の流路１２１上部に設けられた吐水弁装置１０３とを備えた給水バルブ１００が知られている。このような給水バルブ１００においては、上記スパウト１０４先端の吐水端部１４４側をバルブ本体１０２に対して水平方向に回動操作して、吐水弁装置１０３を連動させることにより、吐水の開閉や吐水量の調整が行えようになっている（特許文献１参照）。
【０００３】
具体的には、スパウト１０４の流路１４２の基端側が、バルブ本体１０２に外嵌する嵌合端部１４３により形成されている。そして、嵌合端部１４３内側には、吐水弁装置１０３と結合される結合座１４３ａを設けた内周壁１４３ｂが形成されている。ここで、結合座１４３ａを固定座１３２の係止ヘッド部１３２ａに連結していることにより、スパウト１０４を回動操作した時、固定座１３２底部の係合部１３２ｂと係合する可動弁ディスク１３４が連動して一体的に回動する。
【０００４】
前記特許文献１に開示された給水バルブ１００においては、直接スパウト１０４の吐水端部（先端部）１４４側を回動操作することにより、可動弁ディスク１３４の上部孔１３４ａと、固定弁ディスク１３５の下部孔１３５ａとの重畳区域の面積が変化するため、バルブ本体１０２の原水入口１０２ａから流入する流水の吐水量を制御することができる。
【０００５】
ここで、スパウト１０４を組立てる際に、吐水端部１４４が、給水バルブ１００が取付けられる壁面（不図示）から離れる方向へ移動するほど、即ち壁面と直交状態になるほど吐水量が大きくなるように設計すれば、吐水端部１４４が左或いは右へと壁面に近付くと、断水状態となるように設けることにより、使用しない時に、スパウト１０４のスペースを取らなくなるという効果を奏する。
【０００６】
また、スパウト１０４を壁面に寄り合わせれば、必要スペースが随分と少なくなるので、一般の洗面ボール、台所の流し台水槽等に取付けても、洗顔や食器、炊事用具を洗浄する際に吐水端部１４４の干渉を受けることなく、使用しない時は、該吐水端部１４４を壁面に寄り合わせる等して、人と干渉する等のトラブルを防ぐことができるという効果をも奏する。
【特許文献１】実用新案登録第３０５６７９９号公報
【発明の開示】
【発明が解決しようとする課題】
【０００７】
しかしながら、結合座１４３ａは、図７に示すように、嵌合端部１４３の途中で流路１４２内に突出するように形成されており、しかも、嵌合端部１４３内側において、流路１４２の略中心に配設された柱状の固定座１３２の係止ヘッド部１３２ａにボルト１０５で連結されているため、流路１４２の断面積が、結合座１４３ａ、固定座１３２によって一部が狭められた構成となっている。
【０００８】
さらに、ボルト１０５の通し孔がスパウト１０４外周面の上部に形成されているため、ボルト１０５の締め付け位置を考慮すると、スパウト１０４のレイアウトが必然的に制限されてしまうという問題がある。
【０００９】
この発明は、流路の断面積を大きく確保できるとともに、スパウトのレイアウトの自由度が向上する給水バルブを提供することを目的とする。
【課題を解決するための手段】
【００１０】
この発明の給水バルブは、流路を有するバルブ本体と、上記バルブ本体の流路上部に設けられ、吐水量を制御する吐水弁装置と、バルブ本体に対して相対的に回動可能に設けられ、上記吐水弁装置を操作するスパウトとにより構成される給水バルブであって、上記スパウト基端外周に嵌合部を設けるとともに、上記吐水弁装置は、上記スパウトと連結され、該スパウトと一体的に回動する中空パイプ状の回動部材を備え、該回動部材の、上記嵌合部と対向する部位に、上記嵌合部と嵌合して流路を形成する被嵌合部を設けて、上記スパウトの回動力を回動部材に伝達可能とし、上記スパウトと上記回動部材とを、スパウト基端の外側で連結する取付部材が設けられ、上記吐水弁装置は、上記回動部材の回動により吐水量の制御を行うことを特徴とする。
【００１１】
この発明の一実施態様においては、前記嵌合部は、前記スパウトの流路の中心から離間し、上記スパウトの基端面に形成された凹凸部からなることを特徴とする。
【００１２】
この発明の一実施態様においては、前記取付部材は、その内周面にネジ孔が形成され、且つ前記スパウトおよび前記回動部材と同軸の環状体により構成され、上記スパウト外周面に沿ってスライド可能に設けられるとともに、上記スパウトの両端には、上記取付部材の位置を規制するストッパ部材が設けられ、上記回動部材の外周面には、上記ネジ孔と螺合するネジ部が形成され、上記スパウトは、ネジ孔とネジ部の螺合により回動部材に対して連結されることを特徴とする。
【００１３】
この発明の一実施態様においては、前記吐水弁装置は、前記回動部材と、前記バルブ本体内に収納された回転不可の固定弁ディスクと、前記バルブ本体内に収納され、該回動部材と一体的に回動可能な可動弁ディスクとからなり、上記回動部材の、上記可動弁ディスクと対向する側に第２嵌合部を設けるとともに、上記可動弁ディスクに上記第２嵌合部と嵌合可能な第２被嵌合部を形成して一体的に回動するように構成し、上記バルブ本体の流路上部側先端には、上記第２嵌合部と当接可能とされ、上記第２嵌合部の回動角度を規制する回動角度規制部を形成したことを特徴とする。
【００１４】
この発明の一実施態様においては、前記バルブ本体と前記固定弁ディスクとの間、および前記可動弁ディスクと前記回動部材との間をそれぞれシールする第１のシール部材、第２のシール部材を設けことを特徴とする。
【発明の効果】
【００１５】
この発明によれば、スパウト基端外周の嵌合部と、回動部材の被嵌合部とが互いに嵌合して流路を形成するように構成したことにより、給水バルブの中心軸線に沿って障壁の少ない流路を形成できるため、流路の断面積を大きく確保できる。
【００１６】
従って、バルブ本体の原水入口から流入する流水は、給水バルブの中心に沿って前記障壁の少ない流路を通過することにより、流れが途中で抑制されることがなくスムーズになる。
【００１７】
さらに、スパウトと吐水弁装置とを、スパウト基端の外側で連結することにより、取付部材の位置を考慮してスパウトを強制的に曲げた形状とする必要がなく、スパウトがレイアウトの制限を受けない構成となる。
【００１８】
これにより、スパウトにおけるレイアウトの自由度が向上するため、スパウトの形状を、操作性を考慮したものとすることができる。
【発明を実施するための最良の形態】
【００１９】
この発明の一実施形態を以下図面と共に説明する。  
図１は、この発明の実施形態に係る給水バルブ１を示す分解斜視図、図２は、この発明に係る給水バルブ１の側断面図、図３（ａ）、（ｂ）は、バルブケース３１、バルブケースガイド３２、駆動ケース３３をユニット化した部材の平面図、および底面図である。本実施形態に係る給水バルブ１は、主にバルブ本体２、吐水弁装置３、およびスパウト４を含む。
【００２０】
バルブ本体２は、その中心に流路２１を有しており、該流路２１の原水入口２ａ側の外周面にはネジ部２２が形成されている。さらに、バルブ本体２において、原水入口２ａと反対側の流路２１上部側には、外周面にネジ部２３が形成され、ネジ部２３の下端内周面には、下方から順にスプリングワッシャ２４、平ワッシャ２５が設けられている。
【００２１】
ネジ部２２、２３間の外周面には径方向外方に突出する当接フランジ２６が形成され、バルブ本体２には、当接フランジ２６とネジ部２３との間に流路２１と連通するピン孔２７が形成されている。さらに、流路２１の上部側の端面２８には、周縁沿いに所定距離延伸する位置決めリブ２９が形成されており、該位置決めリブ２９の両端にはそれぞれ回動規制端部２９ａ、２９ｂが形成されている。
【００２２】
吐水弁装置３は、上記バルブ本体２内の吐水量や流路の開閉の制御に使われ、主に、バルブケース３１、バルブケースガイド３２、駆動ケース３３、上弁ディスク３４、下弁ディスク３５から構成されている。
【００２３】
なお、吐水弁装置３のうち、バルブケース３１、バルブケースガイド３２、駆動ケース３３は、一体的に組み付けられた構成となっており、図１、図３に示すようにユニット化されている。
【００２４】
バルブケース３１は、図２に示すように中空パイプ状をなし、バルブ本体２の流路２１と同軸の貫通孔３１ａを備えて、バルブ本体２の流路２１上部に組立られる。バルブケース３１は、流路２１上部に組立てられるべくその内周面にバルブ本体２のネジ部２３と螺合するネジ孔３１ｂが形成されている。また、バルブケース３１上端部には、貫通孔３１ａ内にて、バルブケース３１に対して回動自在な駆動ケース３３が設けられている。
【００２５】
バルブケース３１および駆動ケース３３の上端部には、該駆動ケース３３と一体的に回動可能なバルブケースガイド３２が取付けられている。
【００２６】
ここで、バルブケース３１とバルブケースガイド３２との間、さらにはバルブケース３１と駆動ケース３３との間にはそれぞれシール部材としてのＯリング３１ｃ、３２ａが設けられている。
【００２７】
バルブケースガイド３２の中心には、その駆動ケース３３側先端に、図３（ａ）に示すような被嵌合凹溝３２ｂを有する貫通孔３２ｃが形成されている。この貫通孔３２ｃの、被嵌合凹溝３２ｂ以外の部分には、被嵌合凹溝３２ｂよりも幅広の直径を有する孔が形成されている。
【００２８】
駆動ケース３３は、バルブケースガイド３２と反対側の先端面に、図３（ｂ）に示すような凸状の爪３３ａが２箇所、底面の円周上において約１８０°離れた位置に設けられている。
【００２９】
図１、図２に戻り、上弁ディスク３４は、セラミック材によって形成された円柱状の部材であり、バルブ本体２内およびバルブケース３１内に収納されている。上弁ディスク３４の側面には、凹部３４ａが２箇所、互いに約１８０°離れた位置に形成され、駆動ケース３３の爪３３ａと嵌合している。さらに、上弁ディスク３４の駆動ケース３３と対向する面には凹部３４ｂが形成されており、該凹部３４ｂと駆動ケース３３との間にスリーブ３６を収納できるように構成している。さらにまた、上弁ディスク３４の凹部３４ｂには扇形の上部孔３４ｃが穿設されている。
【００３０】
スリーブ３６には、その外周面に、その軸線方向に適当な間隔において嵌着溝３６ａが形成され、各嵌着溝３６ａにはそれぞれシール部材としてのＯリング３６ｂが嵌め込まれている。このスリーブ３６により、駆動ケース３３と上弁ディスク３４との間のシールが確実に行われ、且つ、スリーブ３６の流路により凹凸のない直線状の流路を形成することができる。
【００３１】
下弁ディスク３５は、上弁ディスク３４と同様、セラミック材によって形成された円柱状の部材であり、バルブ本体２内およびバルブケース３１内に収納されている。下弁ディスク３５の側面には、凹部３５ａが２箇所、互いに約１８０°離れた位置に形成されている。凹部３５ａのうち片側は、バルブ本体２をピン孔２７により貫通したロックピン３７の先端部と嵌合しており、下弁ディスク３５は回動が不可に構成されている。さらに、下弁ディスク３５のバルブ本体２と対向する面には凹部３５ｂが形成されており、該凹部３５ｂとバルブ本体２との間にスリーブ３８を収納できるように構成されている。さらにまた、下弁ディスク３５の凹部３５ｂには扇形の下部孔３５ｃが穿設されている。なお、図２は上弁ディスク３４の上部孔３４ｃと下弁ディスク３５の下部孔３５ｃとが完全に重畳し最大吐水量となる状態を示している。
【００３２】
スリーブ３８には、その外周面に、その軸線方向に適当な間隔をおいて嵌着溝３８ａが形成され、各嵌着溝３８ａにはそれぞれシール部材としてのＯリング３８ｂが嵌め込まれている。このスリーブ３８により、下弁ディスク３５とバルブ本体２との間のシールが確実に行われ、且つ、スリーブ３８の流路により凹凸のない直線状の流路を形成できる。
【００３３】
スパウト４は、その先端側に湾曲部分４１を有して、その内部に流路４２を設けており、該流路４２の基端部、先端部にはそれぞれスパウトリブ４３、吐水口４４を設けている。
【００３４】
ところで、図４（ａ）は、図２におけるＡ−Ａ線矢視断面図、図４（ｂ）は、スパウトリブ４３を示す底面図であり、スパウト４がバルブ本体２に対して相対的に水平方向に回動自在となるように、スパウト４基端を構成するスパウトリブ４３はバルブケースガイド３２の貫通孔３２ｃに挿嵌されている。スパウトリブ４３の基端外周面には、流路４３ａの中心から距離Ｌを有して離間した位置にある２つの凸部４３ｂ１により凹凸部４３ｂが形成されている。ここで、凸部４３ｂ１は、バルブケースガイド３２の被嵌合凹溝３２ｂに嵌合することにより、スパウト４とバルブケースガイド３２とにおいて、流路４３ａと貫通孔３２ｃとの間を連通させて流路を形成し、且つバルブケースガイド３２に対するスパウト４の位置決めがなされている。
【００３５】
このように、スパウトリブ４３側の凸部４３ｂ１と、バルブケースガイド３２の被嵌合凹溝３２ｂとが互いに嵌合して連続した流路を形成することにより、給水バルブ１の中心軸線に沿って障壁の少ない流路を形成できるため、流路の断面積を大きく確保できる。従って、バルブ本体２の原水入口２ａ（図１等参照）側から流入する水流は、給水バルブ１の中心に沿って上記障壁の少ない流路を通過することにより、流れが途中で抑制されることがなくスムーズになる。
【００３６】
また、給水バルブ１の流路を構成する各部材の直径を大きくしなくても、給水バルブ１の中心に断面積を大きく確保された流路を形成できるため、結果として給水バルブ１全体をコンパクトに構成できる。
【００３７】
ここで、スパウトリブ４３の外周面には、その軸線方向において適当な間隔をおいてシール部材としてのＯリング４３ｃ、後に詳述するストッパ４３ｄを設けていることから、スパウト４とバルブケースガイド３２との間においては漏水することがない。
【００３８】
ところで、スパウト４は、バルブケースガイド３２に対して連結、離脱が可能であり、スパウト４の軸線方向に沿って外周面上をスライド可能な取付けネジ５が設けられている。該取付けネジ５は、内周にネジ孔５１が形成され、且つスパウト４およびバルブケースガイド３２、駆動ケース３３と同軸の環状体により構成されている。スパウト４の両端には、ストッパ４３ｄ、吐水口４４（図１参照）が設けられ、取付けネジ５のスライドを両端で規制するようになっている。
【００３９】
また、バルブケースガイド３２上側の外周には、上記ネジ孔５１と螺合するネジ部３２ｅが形成されており、スパウト４は、ネジ孔５１とネジ部３２ｅとの螺合により、スパウト４基端の外側で連結される。
【００４０】
ここで、ボルト１０５の通し孔がスパウト１０４外周面の上部に形成される従来の給水バルブ１００（図７参照）とは異なり、この実施形態の給水バルブ１では、スパウト４とバルブケースガイド３２（吐水弁装置３）とを、取付けネジ５を用いてスパウト４基端の外側で連結することにより、取付けネジ５の締め付け位置を考慮してスパウト４を強制的に曲げた形状とする必要がなく、スパウト４がレイアウトの制限を受けない構成となる。
【００４１】
これにより、スパウト４におけるレイアウトの自由度が向上するため、給水バルブ１の用途に応じてスパウト４の形状を、操作性を考慮した形状とすることができる。例えば、図１等に示すように、スパウト４のスパウトリブ４３側が上方に長く延びた形状とすることができ、スパウト４上端の湾曲部分４１を上方へレイアウトとすることができる。これにより、台所の流し台水槽等において、スパウト４の操作位置や、吐水口４４をより上方に配置することができるため、使用者は、炊事作業を背中を曲げることなく楽な姿勢で行うことができ、その負担が大幅に軽減されることになる。
【００４２】
また、上記スパウト４の両端には、前記ストッパ４３ｄ、他よりも太径の吐水口４４が設けられ、取付けネジ５のスライドを両端で規制できるようになっているため、給水バルブ１のメインテナンス時等において、取付けネジ５の紛失を確実に防止できる。さらに、スパウト４の挿嵌、抜取り作業においては、取付けネジ５をスライドさせて、スパウト４基端から先端の吐水口４４側へ一旦遠ざけることができるため、これらの作業が行い易くなる。
【００４３】
使用者がスパウト４を水平方向に回動操作すると、図１、図２において、凸部４３ｂ１、被嵌合凹溝３２ｂによりその回転力が吐水弁装置３に伝達される。そして、バルブケースガイド３２を介して爪３３ａがバルブ本体２の端面２８上を当接滑動して一体的に回動し、所定角度回動したところで位置決めリブ２９の回動規制端部２９ａまたは２９ｂに当接することで、スパウト４の回動角度が所定範囲内に規制される。
【００４４】
ここで、上述した従来の給水バルブ１００（図７参照）においては、スパウト１０４をボルト１０５により固定座１３２の中心にて連結する構成とされている。この給水バルブ１００において、スパウト１０４を回動操作した時、その回転力を固定座１３２に伝達する際の力の作用点は、スパウト１０４、固定座１３２の回動中心となる。
【００４５】
これに対し、本実施形態の給水バルブ１においてスパウト４を回動操作した時は、上述したように、スパウトリブ４３の凸部４３ｂ１が中心から距離Ｌだけ離間して設けられているため、スパウト４の回転力がバルブケースガイド３２、駆動ケース３３等に伝達される際の力の作用点は中心から離れていることになる。
【００４６】
このように、前記作用点を回動中心から離すべく構成していることにより、てこの原理に基づいて、バルブケースガイド３２、駆動ケース３３等を回動させるのに要する力をできるだけ小さく抑えることができるため、スパウト４の操作性を向上させることができる。
【００４７】
なお、スパウトリブ４３側に凸部４３ｂ１が形成され、該凸部４３ｂ１がバルブケースガイド３２の被嵌合凹溝３２ｂに嵌合するように構成されているが、必ずしもこれに限定されるものではなく、例えば、バルブケースガイド３２側に凸部を形成し、該凸部をスパウトリブ４３側の凹凸部４３ｂの凹部に嵌合させるようにしてもよい。
【００４８】
スパウト４を、その吐水口４４から水を吐出させる方向へ水平に回動操作すると、水源からの水流は、バルブ本体２の流路２１から順に、スリーブ３６の流路、下弁ディスク３５の下部孔３５ｃ、上弁プレー卜３４の上部孔３４ｃ、スリーブ３６の流路、貫通孔３２ｃと流路４３ａとにより形成された流路を経て、スパウト４の流路４２を通り吐水口４４から外部へ吐出される。
【００４９】
ここで、図２に示すように、バルブ本体２と下弁ディスク３５との間、上弁ディスク３４と駆動ケース３３との間、駆動ケース３３とバルブケース３１との間、バルブケース３１とバルブケースガイド３２との間、バルブケースガイド３２とスパウトリブ４３との間にそれぞれ、Ｏリング３８ｂ、３６ｂ、３１ｃ、３２ａ、４３ｃ、ストッパ４３ｄを設けているので、流動している水は漏れる心配がない。
【００５０】
図５は、給水バルブ１の使用状態における上弁ディスク３４、下弁ディスク３５の動作を示す説明図であり、爪３３ａの時計回りの回動により、上弁ディスク３４、下弁ディスク３５の上部孔３４ｃ、下部孔３５ｃは完全に重畳させることで最大吐水量の状態となる。
【００５１】
ここで、上弁ディスク３４の上部孔３４ｃと下弁ディスク３５ｃの下部孔３５ｃとが完全に重畳している時は、爪３３ａが回動規制端部２９ａに当接し、それ以上の回動が不能となる角度位置にある。
【００５２】
その吐水量を小さく調整する場合は、図５において、爪３３ａを反時計回りに回動させれば、上弁ディスク３４が、固定構造の下弁ディスク３５に対して相対回動し、上弁ディスク３４の上部孔３４ｃと下弁ディスク３５の下部孔３５ｃとの位置関係がややずれる。これにより、重畳区域の面積は最大時よりもやや小さくなるので、吐水量がやや減る。
【００５３】
ここで、吐水量を比較的大きい状態に回復させる時は、時計回りにスパウト４を回動すれば、上弁ディスク３４の上部孔３４ｃと下弁ディスク３５の下部孔３５ｃとの重畳区域の面積が増大して、吐水量を比較的大きい状態に回復させることができる。
【００５４】
上弁ディスク３４の上部孔３４ｃと下弁ディスク３５の下部孔３５ｃとの重畳区域の面積即ち吐水量は、爪３３ａの回動により使用者が任意に制御することができ、爪３３ａを図５において反時計回りに回動させ、回動規制端部２９ｂに当接する角度位置まで移動させることにより、該上部孔３４ｃと下部孔３５ｃを完全にずらして重畳させずに断水状態にすることもできる。
【００５５】
なお、上弁ディスク３４、下弁ディスク３５はセラミック材により形成しているので、セラミック材の極めでつやがある滑らかな特性を生かして、弁ディスク３４、３５間を密着させ、且つそれらの密着触接の回動に必要な力もさほど大きくはなく、使用者が容易に操作をすることができる。
【００５６】
また、上弁ディスク３４、下弁ディスク３５との間の相対的な角度のずれが生じても、スリーブ３８とスリーブ３６（図２参照）とにより、バルブ本体２から駆動ケース３３までの区間におけるシール性は確実に維持される。
【００５７】
ここで、図５においては、上弁ディスク３４の端面が、バルブ本体２の端面２８よりも若干突出するように設定されており、駆動ケース３３の爪３３ａは、上弁ディスク３４の凹部３４ａのうち、端面２８よりも若干突出した部分と嵌合して一体的に回動する。さらに、爪３３ａは、バルブ本体２の端面２８の回動規制端部２９ａ、２９ｂと当接することにより、バルブケースガイド２３、駆動ケース３３ひいてはスパウト４（図１等参照）の回動角度を規制する。
【００５８】
このように、爪３３ａが上弁ディスク３４の凹部３４ａに嵌合しつつ、バルブ本体２の位置決めリブ２９の回動規制端部２９ａ、２９ｂに当接可能に構成されていることにより、爪３３ａが、上弁ディスク３４を回動させる役割と、スパウト４の回動角度を規制する役割とを兼ねることになるため、構成を簡素化できる。
【００５９】
ところで、上述した実施形態においては、取付けネジ５が図１、図２等に示すように、スパウト４およびバルブケースガイド３２と同軸の環状体により構成され、スパウト４外周面に沿ってスライド可能なものとされているが、必ずしもこれに限定されるものではない。例えば、別の実施形態を示す図６のように、スパウト４の基端外側にフランジ部４５を形成し、フランジ部４５、バルブケースガイド３２の先端部に複数のネジ孔を形成しているものであってもよい。
【００６０】
即ち、スパウト４とバルブケースガイド３２との連結は、両者のネジ孔を合わせた状態で、ネジ孔の数に対応する取付けネジ６で締め付けることによりなされる。ここで、最初の実施形態のストッパ４３ｄの代わりに、図示のように、２つめのＯリング４３ｅを設けて、シール性を確保するようにしてもよい。
【００６１】
なお、本実施形態において、最初の実施形態と同様の構成要素については同一の符号を付して、その説明を省略した。
【００６２】
この発明の構成と、上述の実施形態との対応において、
この発明の回動部材は、バルブケースガイド３２、駆動ケース３３に対応し、
以下同様に、
嵌合部は、凹凸部４３ｂに対応し、
被嵌合部は、被嵌合凹溝３２ｂに対応し、
取付部材は、取付けネジ５、６に対応し、
固定弁ディスクは、下弁ディスク３５に対応し、
可動弁ディスクは、上弁ディスク３４に対応し、
第２嵌合部は、爪３３ａに対応し、
第２被嵌合部は、凹部３４ａに対応し、
第１のシール部材は、スリーブ３８に対応し、
第２のシール部材は、スリーブ３６に対応するも、
この発明は、上述の実施形態の構成のみに限定されるものではなく、多くの実施の形態を得ることができる。
【図面の簡単な説明】
【００６３】
【図１】この発明の第１実施形態に係る給水バルブを示す分解斜視図。
【図２】この発明の第１実施形態に係る給水バルブを示す断面図。
【図３】バルブケース、バルブケースガイド、駆動ケースをユニット化した部材の（ａ）平面図、（ｂ）底面図。
【図４】この発明の第１実施形態に係る給水バルブにおける要部を示す図であり、（ａ）図１におけるＡ−Ａ線矢視断面図、（ｂ）スパウトリブを示す底面図。
【図５】この発明の第１実施形態に係る給水バルブの使用状態における上弁ディスク、下弁ディスクの動作を示す説明図。
【図６】この発明の第２実施形態に係る給水バルブを示す断面図。
【図７】従来における給水バルブを示す断面図。
【符号の説明】
【００６４】
１…給水バルブ
２…バルブ本体
３…吐水弁装置
４…スパウト
５、６…取付けネジ
２９…位置決めリブ
３２…バルブケースガイド
３２ｂ…被嵌合凹溝
３３…駆動ケース
３３ａ…爪
３４…上弁ディスク
３４ａ…凹部
３５…下弁ディスク
３５ａ…凹部
３６、３８…スリーブ
４３ｂ…凹凸部
４３ｄ…ストッパ
【図１】
2007162284.tif 000003
【図２】
2007162284.tif 000004
【図３】
2007162284.tif 000005
【図４】
2007162284.tif 000006
【図５】
2007162284.tif 000007
【図６】
2007162284.tif 000008
【図７】
2007162284.tif 000009